(57)【要約】      （修正有）【課題】モータユニットから車体へ伝搬する振動を抑制することを目的とする。【解決手段】サブフレーム３０をサイドメンバ５に支持する第１マウント４０と、モータユニットをサブフレーム３０の下側に支持する第２マウントを備え、サブフレーム３０の上面に電力供給部を配置。第１マウント４０は、サブフレーム３０の上方からサイドメンバ５の上方へ延びるサイドブラケット４１と、第１弾性体およびサイドブラケット４１に取り付けられるブッシュ４２を有する。サイドブラケット４１はサブフレーム３０の上面に締結される本体部４１２と延出部４１４とを有する。ブッシュ４２は延出部４１４に取り付けられ、第１弾性体を車両上下方向Ｚに貫通する締結部４６がブッシュ４２の内側に配置され、ロアブラケット４４が締結部４６の下部に連結され、収容室の内壁面２ｓから締結部４６に延びるアッパブラケット４５が締結部４６の上部に連結される。【選択図】図１２
2020032954.tif 000002
【特許請求の範囲】
【請求項１】
モータ及び減速機によって構成されるモータユニットを支持するためのモータユニット支持構造であって、
前記モータユニットが収容される収容室内で車両前後方向に延びる一対のサイドメンバと、
車両幅方向に延びるサブフレームと、
第１弾性体を介して前記サブフレームを前記サイドメンバに支持する第１マウントと、
第２弾性体を介して前記モータユニットを前記サブフレームの下側に支持する第２マウントと、を備え、
前記サブフレームの上面に前記モータに電力を供給する電力供給部が配置され、
前記第１マウントは、
前記サブフレームの上方から前記サイドメンバの上方へ延びるサイドブラケットと、
前記第１弾性体を有し、かつ前記サイドブラケットに取り付けられるブッシュと、を有し、
前記サイドブラケットは、前記サイドメンバより車両幅方向内側に配置され且つ前記サブフレームの上面に締結される本体部と、前記本体部から延出し且つ前記サブフレームの上方に配置される延出部とを有し、
前記ブッシュは、前記延出部に取り付けられ、
前記第１弾性体を車両上下方向に貫通する締結部が前記ブッシュの内側に配置され、
前記サイドメンバの上面に配置されるロアブラケットが前記締結部の下部に連結され、前記収容室の内壁面から前記締結部に延びるアッパブラケットが前記締結部の上部に連結されている、モータユニット支持構造。
【請求項２】
前記第１マウントは、前記アッパブラケットの下方で前記サブフレーム及び前記内壁面の少なくとも一方に固定される中間ブラケットを有し、
前記アッパブラケットは、前記中間ブラケットと固定されている請求項１に記載のモータユニット支持構造。
【請求項３】
前記ブッシュは、前記車両前後方向に離間して配置される第１ブッシュと第２ブッシュとを有し、
前記中間ブラケットは、前記車両前後方向において前記第１ブッシュと前記第２ブッシュとの間に配置されている請求項２に記載のモータユニット支持構造。
【請求項４】
前記中間ブラケットは、当該中間ブラケットの下部が前記ロアブラケットの上部に固定され、かつ、前記ロアブラケットを介して前記サブフレームと固定されている請求項２又は３に記載のモータユニット支持構造。
【請求項５】
前記ロアブラケットは、前記車両前後方向に離間して配置される前側ブラケットと後側ブラケットとを有し、
前記中間ブラケットは、当該中間ブラケットの下部が前記前側ブラケットの上部及び前記後側ブラケットの上部の両方に固定されている請求項２から４のいずれか１項に記載のモータユニット支持構造。
【発明の詳細な説明】
【技術分野】
【０００１】
本発明は、車両におけるモータユニット支持構造に関する。
【背景技術】
【０００２】
従来、モータユニットを支持するためのモータユニット支持構造が広く知られている（例えば、特許文献１参照）。特許文献１のモータユニット支持構造は、モータユニットが収容される収容室内で車両前後方向に延びる一対のサイドメンバと、車両幅方向に延びるサブフレームと、第１弾性体を介してサブフレームをサイドメンバに支持する第１マウントと、第２弾性体を介してモータユニットをサブフレームの下側に支持する第２マウントと、を備えている。
【０００３】
第１弾性体は、車両上下方向に延びる筒状であり、車両幅方向の内側の側面が開口しているサイドメンバの内側に配置され、第１弾性体を車両上下方向に貫通する軸がサイドメンバの上面及び下面と固定されている。サブフレームは、サイドメンバの側面からサイドメンバの内部に挿入される取付部により第１弾性体の外周に取り付けられ、第１弾性体を介してサイドメンバと固定されている。第１弾性体がモータユニットの動きによるサブフレームの振動を吸収することで、サイドメンバ、ひいては車体へ伝搬する振動を抑制している。
【先行技術文献】
【特許文献】
【０００４】
【特許文献１】特開２０１５−１８２７４９号公報
【発明の概要】
【発明が解決しようとする課題】
【０００５】
しかしながら、特許文献１のモータユニット支持構造では、サイドメンバの側面が開口しているため、その分だけサイドメンバの剛性が低くなり、サブフレームの車両上下方向の振動を十分に抑制できない。このため、モータユニットから車体へ伝搬する振動を抑制できない虞があった。
【０００６】
そこで、モータ及び減速機によって構成されるモータユニットを支持するためのモータユニットの支持構造において、モータユニットから車体へ伝搬する振動を抑制することを目的とする。
【課題を解決するための手段】
【０００７】
一態様に係るモータユニット支持構造は、モータ及び減速機によって構成されるモータユニットを支持するためのモータユニット支持構造である。モータユニット支持構造は、前記モータユニットが収容される収容室内で車両前後方向に延びる一対のサイドメンバと、車両幅方向に延びるサブフレームと、第１弾性体を介して前記サブフレームを前記サイドメンバに支持する第１マウントと、第２弾性体を介して前記モータユニットを前記サブフレームの下側に支持する第２マウントと、を備える。前記サブフレームの上面に前記モータに電力を供給する電力供給部が配置されている。前記第１マウントは、前記サブフレームの上方から前記サイドメンバの上方へ延びるサイドブラケットと、前記第１弾性体を有し、かつ前記サイドブラケットに取り付けられるブッシュと、を有する。前記サイドブラケットは、前記サイドメンバより車両幅方向内側に配置され且つ前記サブフレームの上面に締結される本体部と、前記本体部から延出し且つ前記サブフレームの上方に配置される延出部とを有する。前記ブッシュは、前記延出部に取り付けられる。前記第１弾性体を車両上下方向に貫通する締結部が前記ブッシュの内側に配置されている。前記サイドメンバの上面に配置されるロアブラケットが前記締結部の下部に連結され、前記収容室の内壁面から前記締結部に延びるアッパブラケットが前記締結部の上部に連結されている。
【０００８】
これにより、弾性体を有するブッシュが、サイドメンバの内部ではなく、サイドメンバの上方へ延びるサイドブラケットに取り付けられている。これにより、ブッシュの配置位置や大きさを自由に設定できサブフレームの振動抑制効果を高められる。また、サイドメンバの内側の側面を開口する必要がないため、サイドメンバの剛性の低下を抑制でき、サブフレームの車両上下方向の振動を抑制できる。加えて、ブッシュの内側に配置されている締結部が、ロアブラケットとアッパブラケットとによりサブフレームと収容室の内壁との両者に連結されているため、ブッシュをより強固に車体に固定することができ、さらに、サブフレームの車両上下方向の振動を抑制できる。
【図面の簡単な説明】
【０００９】
【図１】図１は、実施形態に係るモータユニット支持構造１を車両の前左上側から視た斜視図である。
【図２】図２は、実施形態に係るモータユニット支持構造１を車両の前右上側から視た斜視図である。
【図３】図３は、実施形態に係るモータユニット支持構造１を車両の前側から視た図である。
【図４】図４は、実施形態に係るサブフレーム３０を車両の前左上側から視た斜視図である。
【図５】図５は、実施形態に係るサブフレーム３０を車両の前左下側から視た斜視図である。
【図６】図６は、実施形態に係る左側の第１マウント４０を車両の前右上側から視た斜視図である。
【図７】図７は、実施形態に係る左側の第１マウント４０を車両の前側から視た図である。
【図８】図８は、実施形態に係る左側の第１マウント４０を車両の上側から視た図である。
【図９】図９は、実施形態に係る左側の第１マウント４０を車両の上側から視た図である。
【図１０】図１０は、実施形態に係る左側の第１マウント４０を車両の右側から視た断面図である。
【図１１】図１１は、実施形態に係る第１マウント４０及び第２マウント５０を説明するための説明図（分解斜視図）である。
【図１２】図１２は、実施形態に係る右側の第１マウント４０を説明するための説明図（分解斜視図）である。
【発明を実施するための形態】
【００１０】
以下に添付図面を参照しながら、本発明の好適な実施形態について詳細に説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。本明細書及び図面において、実質的に同一の機能、構成を有する要素については、同一の符号を付することにより重複説明を省略し、また本発明に直接関係のない要素は図示を省略する。
【００１１】
（１）モータユニット支持構造１の概略構成
モータユニット支持構造１の概略構成について、図１から図３を中心に用いて説明する。図１は、実施形態に係るモータユニット支持構造１を車両の前左上側から視た斜視図である。図２は、実施形態に係るモータユニット支持構造１を車両の前右上側から視た斜視図である。図３は、実施形態に係るモータユニット支持構造１を車両の前側から視た図である。
【００１２】
図面に示す矢印Ｘは、車両幅方向を示し、矢印Ｙは、車両前後方向を示し、矢印Ｚは、車両上下方向を示す。矢印Ｘ１は、車両右方向を示し、矢印Ｘ２は、車両左方向を示す。矢印Ｙ１は、車両前方向を示し、矢印Ｙ２は、車両後方向を示す。矢印Ｚ１は、車両上方向を示し、矢印Ｚ２は、車両下方向を示す。
【００１３】
図１から図３に示すように、モータユニット支持構造１は、車両（特に、電気自動車）における構造である。モータユニット支持構造１は、モータユニット２０、サブフレーム３０、第１マウント４０、第２マウント５０、電力供給部６０及び取り付け部７０を備える。
【００１４】
車両は、モータユニット２０を収容する収容室２を有する。収容室２は、パワートレインルーム、モータルーム、又はエンジンルーム等と称されてもよい。収容室２の内部には、車両前後方向Ｙに延びる一対のサイドメンバ５が配置されている。サイドメンバ５は、収容室の側面を構成する左右の側壁のそれぞれに沿って延びる。
【００１５】
モータユニット２０は、後述する第２マウント５０を介してサブフレーム３０に取付けられており、車両の収容室２内に収容される。モータユニット２０は、モータ２２及び減速機２４によって構成される。モータ２２は、駆動力源となり、回転軸（出力軸）の軸心が車両幅方向Ｘに沿っている。減速機２４は、モータ２２の回転を減速してドライブシャフトに出力する。モータ２２と減速機２４とは結合されている。
【００１６】
サブフレーム３０は、車両幅方向Ｘに延びる部材である。サブフレーム３０は、後述する第１マウント４０を介して、左右のサイドメンバ５に架設状態で取り付けられる。つまり、サブフレーム３０は、左右のサイドメンバ５を連結している。サブフレーム３０の構成の詳細は、後述する。
【００１７】
第１マウント４０は、後述する第１弾性体４２６を介してサブフレーム３０をサイドメンバ５に支持する。従って、第１マウント４０は、サイドメンバ５へサブフレーム３０を取り付けるために用いられる。第１マウント４０は、後述する第１弾性体４２６を有する。第１マウント４０は、右側のサイドメンバ５の上側に配置される右側の第１マウント４０と、左側のサイドメンバ５の上側に配置される左側の第１マウント４０と、を有する。右側の第１マウント４０と左側の第１マウント４０とには、それぞれ第１弾性体４２６が車両前後方向Ｙに並んで２個ずつ配置されている。
【００１８】
第２マウント５０は、後述する第２弾性体５６を介してモータユニット２０をサブフレーム３０の下側に支持する。従って、第２マウント５０は、モータユニット２０をサブフレーム３０へ吊り下げるために用いられる。第２マウント５０は、第２弾性体５６を有する。
【００１９】
第２マウント５０は、前マウント５０Ａと後マウント５０Ｂとを有する（図１１参照）。前マウント５０Ａは、左右に一対配置されてモータユニット２０を支持する。後マウント５０Ｂは、左右の前マウント５０Ａに対して車両幅方向Ｘで中央付近に配置される。後マウント５０Ｂは、前マウント５０Ａよりも車両前後方向Ｙの後側でモータユニット２０を支持する。前マウント５０Ａと後マウント５０Ｂとは、車両前後方向Ｙにおいて離れて配置されている。
【００２０】
モータ２２の駆動により、モータ２２の回転が出力される図示しないドライブシャフトを中心にモータユニットを回転させる反力が発生する。第２マウント５０（前マウント５０Ａ及び後マウント５０Ｂ）は、車両前後方向Ｙにおいて距離の離れた箇所に配置されているため、モータ２２の回転によるモータユニット２０の大きな動きを効果的に規制できるとともに、モータ２２の回転による振動を効果的に吸収でき、サブフレーム３０へ伝搬する振動を抑制することができる。
【００２１】
電力供給部（電気機器）６０は、モータ２２に電力を供給するためのものである。電力供給部６０は、インバータ６２、ジャンクションボックス６４、及びＤＣＤＣコンバータ６６により構成される。電力供給部６０は、サブフレーム３０の上面に配置されている。インバータ６２は、モータ２２に電力を供給する。ジャンクションボックス６４は、インバータ６２、ＤＣＤＣコンバータ６６等に繋がれている配線を連結する。ＤＣＤＣコンバータ６６は、高電圧を作る。
【００２２】
取り付け部７０は、電力供給部６０をサブフレーム３０上へ取り付けるための部材である。取り付け部７０は、車両前後方向Ｙ及び車両上方向Ｚ１のそれぞれから電力供給部６０を固定するものである。取り付け部７０は、ボルト等の締結部材によりサブフレーム３０と固定される。これにより、電力供給部６０がサブフレーム３０へ固定される（取り付けられる）。
【００２３】
（２）各部材の詳細構成
各部材の詳細構成を、図１から図３に加えて、図４から図１２を用いて説明する。図４は、実施形態に係るサブフレーム３０を車両の前左上側から視た斜視図である。図５は、実施形態に係るサブフレーム３０を車両の前左下側から視た斜視図である。図６は、実施形態に係る左側の第１マウント４０を車両の前右上側から視た斜視図である。図７は、実施形態に係る左側の第１マウント４０を車両の前側から視た図である。図８は、実施形態に係る左側の第１マウント４０を車両の上側から視た図である。図９は、実施形態に係る左側の第１マウント４０を車両の上側から視た図である。なお、図９は、図８と比較して後述するアッパブラケット４５が省略されている。図１０は、実施形態に係る左側の第１マウント４０を車両の右側から視た断面図である。具体的には、図１０は、車両前後方向Ｙに沿った鉛直断面であって、左側の第１マウント４０を車両の右側から視た断面図（図８におけるＡ−Ａ断面図）である。図１１は、実施形態に係る第１マウント４０及び第２マウント５０を説明するための説明図である（分解斜視図）。図１２は、実施形態に係る右側の第１マウント４０を説明するための説明図（分解斜視図）である。
【００２４】
（２．１）サブフレーム３０
図４及び図５に示すように、サブフレーム３０は、前側メンバ３１、後側メンバ３２、右側メンバ３３、左側メンバ３４、右側マウントメンバ３５、左側マウントメンバ３６、中央マウントメンバ３７、及び補助メンバ３８を有する。
【００２５】
前側メンバ３１は、車両の前側で車両幅方向Ｘに沿って延びる。後側メンバ３２は、前側メンバ３１よりも後側で車両幅方向Ｘに沿って延びる。前側メンバ３１及び後側メンバ３２は、それぞれ矩形断面を有する中空の部材である。前側メンバ３１及び後側メンバ３２は、それぞれ断面Ｕ字状の上側部材と下側部材とを溶接により閉断面に形成されている。これにより、前側メンバ３１及び後側メンバ３２は、軽量化と剛性の確保がなされている。前側メンバ３１及び後側メンバ３２は、電力供給部６０を取り付けるための上面３１ｕ及び上面３２ｕを有する。上面３１ｕ及び上面３２ｕには、電力供給部６０が載置される。これにより、モータユニット２０及びサブフレーム３０が収容室２に収容される前に、サブフレーム３０に電力供給部６０を取り付けることができる。従って、サブフレーム３０に支持されたモータユニット２０とともに電力供給部６０を車体へ搭載することが可能である。これにより、モータユニット２０を収容室２へ収容した後に、電力供給部６０を取り付ける必要がなくなるため、生産効率を向上できる。特に、図１に示すように、空きスペースがあまりない収容室２となっている車両では、モータユニット２０を収容室２へ収容した後に、電力供給部６０を収容できても、電力配線の実行が難しい。これに対して、本願発明の実施形態では、既に配線が完了した電力供給部６０及びモータユニット２０が取り付けられたサブフレーム３０を車体へ搭載することが可能であるため、車両の生産効率を向上できる。
【００２６】
右側メンバ３３は、車両の右側で車両前後方向Ｙに沿って延びる。左側メンバ３４は、車両の左側で車両前後方向Ｙに沿って延びる。右側メンバ３３及び左側メンバ３４は、それぞれ矩形断面を有する中空の部材である。右側メンバ３３及び左側メンバ３４は、それぞれ上側部材と下側部材とを溶接により閉じることで形成されている。これにより、右側メンバ３３及び左側メンバ３４は、軽量化と剛性の確保がなされている。
【００２７】
右側メンバ３３は、前側メンバ３１の右側端部と後側メンバ３２の右側端部とを連結する。詳細には、右側メンバ３３は、前側メンバ３１と後側メンバ３２との間に配置されている。右側メンバ３３の前端は、前側メンバ３１の右側端部の後面に接合されている。右側メンバ３３の後端は、後側メンバ３２の右側端部の前面に接合されている。左側メンバ３４は、前側メンバ３１の左側端部と後側メンバ３２の左側端部とを連結する。詳細には、右側メンバ３３と同様に、左側メンバ３４は前側メンバ３１と後側メンバ３２の間に配置されている。左側メンバ３４の前端は、前側メンバ３１の左側端部の後面に接合されている。左側メンバ３４の後端は、後側メンバ３２の左側端部の前面に接合されている。前側メンバ３１、後側メンバ３２、右側メンバ３３及び左側メンバ３４により枠状に形成された構造部材を構成する。また、前側メンバ３１、後側メンバ３２、右側メンバ３３及び左側メンバ３４のそれぞれの上面および下面は、車両上下方向Ｚにおいて、ほぼ同じ位置（同じ高さ）となっている。特に、前側メンバ３１、後側メンバ３２、右側メンバ３３及び左側メンバ３４のそれぞれの上面には、第１マウント４０が取り付けられるため、車両上下方向Ｚにおいて同じ高さであることが好ましい。図４に示すように、前側メンバ３１、後側メンバ３２、右側メンバ３３及び左側メンバ３４の上面には、後述する締結部３９が挿入される（円筒状の）スペーサが配置されてもよい。各スペーサの上面の高さをそろえることで、第１マウント４０（後述のサイドブラケット４１）の高さを一定にできる。また、前側メンバ３１及び後側メンバ３２の上面３１ｕ及び３２ｕには、電力供給部６０が載置されるため、車両上下方向Ｚにおいて同じ高さであることが好ましい。
【００２８】
前側メンバ３１、後側メンバ３２、右側メンバ３３、左側メンバ３４は、サイドブラケット４１を取り付けるために用いられる締結部３９（例えば、ボルト等の締結部材）を有する。締結部３９は、前側メンバ３１の左右の端部に１箇所ずつ形成され、後側メンバ３２の左右の端部に１箇所ずつ形成される。また、締結部３９は、右側メンバ３３及び左側メンバ３４の車両前後方向Ｙの中央部に１箇所ずつ形成される。締結部３９として、各メンバ（前側メンバ３１、後側メンバ３２、右側メンバ３３及び左側メンバ３４）の矩形断面を貫通するボルト等の締結部材が取付けられる。右側メンバ３３及び左側メンバ３４の締結部３９は、前側メンバ３１及び後側メンバ３２の締結部３９よりも車両幅方向Ｘにおける内側（車両の中心側）に配置されている。これにより、右側および左側の各締結部３９が車両前後方向Ｙに沿って直線上に並ばずに、車両幅方向Ｘに分散した配置とすることができるため、サブフレーム３０とサイドブラケット４１との結合剛性を高めることができる。
【００２９】
右側マウントメンバ３５は、前側メンバ３１及び後側メンバ３２の右側端部で、右側メンバ３３よりも車両の左側に配置されている。右側マウントメンバ３５は、車両前後方向Ｙに沿って延びる。右側マウントメンバ３５は、上方が開口した断面Ｕ字状の部材である。右側マウントメンバ３５は、前側メンバ３１、後側メンバ３２、右側メンバ３３に溶接により接合されている。右側マウントメンバ３５の下面は、前側メンバ３１、後側メンバ３２、右側メンバ３３のそれぞれの下面よりも低い位置となっている。右側マウントメンバ３５は、車両前後方向Ｙにおいて、前側メンバ３１の下方を通過して前側メンバ３１よりも前側に延びる延出部３５ａを有する。右側マウントメンバ３５は、前側メンバ３１の前後面と下面、後側メンバ３２の前面と下面、右側メンバ３３の左側側面に溶接により接合されている。
【００３０】
右側マウントメンバ３５には、第２マウント５０（右側の前マウント５０Ａ）が取り付けられる。右側マウントメンバ３５は、第２マウント５０を取り付けるための締結部３５ｂ（例えば、締結用の穴）を有する。右側マウントメンバ３５は、複数の締結部３５ｂを有してもよい。締結部３５ｂは、延出部３５ａに配置されてもよい。締結部３５ｂは、延出部３５ａだけでなく、前側メンバ３１と後側メンバ３２との間に配置されてもよい。また、締結部３５ｂは、前側メンバ３１の前後両側に配置されていてもよい（図５参照）。締結部３５ｂを前側メンバ３１の前後両側に配置することで、第２マウント５０（前マウント５０Ａ）を前側メンバ３１の真下に配置することができ、荷重を効率良く前側メンバ３１へ伝えることができる。
【００３１】
左側マウントメンバ３６は、前側メンバ３１および後側メンバ３２の左側端部で、左側メンバ３４よりも車両の右側に配置されて車両前後方向Ｙに沿って延びる。左側マウントメンバ３６は上方が開口した断面Ｕ字状の部材である。左側マウントメンバ３６は、前側メンバ３１、後側メンバ３２、左側メンバ３４に溶接により接合されている。左側マウントメンバ３６の下面は、前側メンバ３１、後側メンバ３２、左側メンバ３４のそれぞれの下面よりも低い位置となっている。左側マウントメンバ３６は、車両前後方向Ｙにおいて、前側メンバ３１の下方を通過して前側メンバ３１よりも前側に延びる延出部３６ａを有する。左側マウントメンバ３６は、前側メンバ３１の前後面と下面、後側メンバ３２の前面と下面、左側メンバ３４の右側側面に溶接により接合されている。
【００３２】
左側マウントメンバ３６には、第２マウント５０（左側の前マウント５０Ａ）が取り付けられる。左側マウントメンバ３６は、第２マウント５０を取り付けるための締結部３６ｂ（例えば、締結用の穴）を有する。左側マウントメンバ３６は、複数の締結部３６ｂを有してもよい。締結部３６ｂは、延出部３６ａに配置されてもよい。締結部３６ｂは、延出部３６ａだけでなく、前側メンバ３１と後側メンバ３２との間に配置されてもよい。また、締結部３６ｂは、前側メンバ３１の前後両側に配置されていてもよい（図５参照）。締結部３６ｂを前側メンバ３１の前後両側に配置することで、第２マウント５０（前マウント５０Ａ）を前側メンバ３１の真下に配置することができ、荷重を効率良く前側メンバ３１へ伝えることができる。
【００３３】
中央マウントメンバ３７は、車両幅方向Ｘにおける右側マウントメンバ３５と左側マウントメンバ３６との間において、車両前後方向Ｙに延びる。中央マウントメンバ３７は、前側メンバ３１（の中央部）と後側メンバ３２（の中央部）とを連結する。中央マウントメンバ３７は、電力供給部６０を取り付けるための上面３７ｕを有してもよい。上面３７ｕには、電力供給部６０が載置されてもよい。中央マウントメンバ３７は、車両前後方向Ｙにおいて、後側メンバ３２よりも後側に延びる延出部３７ａを有する。
【００３４】
中央マウントメンバ３７は、矩形断面を有する中空の部材である。中央マウントメンバ３７は、断面Ｕ字状の上側部材と下側部材とを溶接により閉断面に形成されている。これにより、中央マウントメンバ３７は、軽量化と剛性の確保がなされている。中央マウントメンバ３７の上面３７ｕは、前側メンバ３１、後側メンバ３２のそれぞれの上面よりも高い位置となっている。中央マウントメンバ３７の下面は、前側メンバ３１、後側メンバ３２のそれぞれの下面よりも低い位置となっている。つまり、後側メンバ３２が中央マウントメンバ３７を車両幅方向Ｘに貫通するように、中央マウントメンバ３７は、後側メンバ３２の周囲を取り囲んでいる。そして、中央マウントメンバ３７の前端部は、前側メンバ３１の上下面と後面とに溶接により接合されている。車両前後方向Ｙにおける中央マウントメンバ３７の中間部は、後側メンバ３２の上下面と前後面とに溶接により接合されている。さらに、中央マウントメンバ３７の後端部は、後述する補助メンバ３８の前面と下面に溶接により接合されている。
【００３５】
中央マウントメンバ３７には、第２マウント５０（後マウント５０Ｂ）が取り付けられる。中央マウントメンバ３７は、第２マウント５０を取り付けるための締結部３７ｂ（例えば、締結用の孔）を有する。中央マウントメンバ３７は、複数の締結部３７ｂを有してもよい。締結部３７ｂは、延出部３７ａに配置されてもよい。締結部３７ｂは、延出部３７ａだけでなく、前側メンバ３１と後側メンバ３２との間に配置されてもよい。また、締結部３７ｂを、中央マウントメンバ３７の後端部で、後述する補助メンバ３８と中央マウントメンバ３７との接合箇所（具体的には、車両上下方向Ｚにおいて補助メンバ３８と中央マウントメンバ３７とが重なる領域）に設けてもよい。補助メンバ３８と中央マウントメンバ３７との接合箇所を締結部３７ｂとすることで、剛性のある箇所に第２マウント５０（後マウント５０Ｂ）を取り付けることができる。
【００３６】
補助メンバ３８は、中央マウントメンバ３７を補強するための部材である。補助メンバ３８は、中央マウントメンバ３７の延出部３７ａ（後側の端部）と後側メンバ３２とを連結する。補助メンバ３８は、中央部３８ａと左右の端部３８ｂとを有する。補助メンバ３８は、矩形断面を有する中空の部材である。補助メンバ３８は、断面Ｕ字上の上側部材と下側部材とを溶接により閉断面に形成されている。これにより、補助メンバ３８は、軽量化と剛性の確保がなされている。中央部３８ａは、中央マウントメンバ３７の後端部が溶接により接合される部位であって、車両幅方向Ｘに沿って延びる。端部３８ｂは、後側メンバ３２と中央部３８ａとを連結する。右側の端部３８ｂの前端は、中央マウントメンバ３７と右側マウントメンバ３５との間にて後側メンバ３２に接合され、後側メンバ３２の上下面と後面に溶接により接合される。左側の端部３８ｂの前端は、中央マウントメンバ３７と左側マウントメンバ３６との間にて後側メンバ３２に接合され、後側メンバ３２の上下面と後面に溶接により接合される。端部３８ｂは、中央部３８ａの車両幅方向Ｘの両側にて湾曲し、後側メンバ３２に向かって車両前方向Ｙ１へ延びる。なお、端部３８ｂは、中央部３８ａから屈曲して車両前方向Ｙ１に延びていてもよい。端部３８ｂは、後側メンバ３２に対して斜めに接合されていてもよい。車両上面視において、補助メンバ３８は、車両後方向Ｙ２に向かって凸形状（Ｕ字状）であってもよい。
【００３７】
補助メンバ３８は、電力供給部６０を取り付けるための上面３８ｕを有してもよい。上面３８ｕには、電力供給部６０が載置されてもよい。
【００３８】
（２．２）第１マウント４０
次に、第１マウント４０について、説明する。第１マウント４０は、サイドブラケット４１、ブッシュ４２、ロアブラケット４４、アッパブラケット４５、締結部４６、中間ブラケット４７を有する（図６−１２参照）。ブッシュ４２は、第１カラー４２２、外筒４２４、第１弾性体４２６を有する。
【００３９】
サイドブラケット４１は、サブフレーム３０の上方からサイドメンバ５の上方へ延びる。具体的には、サイドブラケット４１は、サブフレーム３０の車両幅方向Ｘの両端部に連結されるとともにその外端部が左右のサイドメンバ５の上方に延びる部材である。
サイドブラケット４１の車両幅方向Ｗの一方の端部（後述する本体部４１２の一部）は、サイドメンバ５よりも車両幅方向Ｘにおける車両中央側に突出しており、サブフレーム３０の上面に重ねられ、締結部３９によりサブフレーム３０と締結される。サイドブラケット４１の車両幅方向Ｗの他方の端部（後述する延出部４１４）は、サイドメンバ５の上方に配置され、第１弾性体４２６を介して、サイドブラケット４１よりも下方の車体部材に取付けられる。詳細には、サイドブラケット４１の他方の端部には、第１弾性体４２６を有するブッシュ４２が配置され、ブッシュ４２の外筒４２４が、サイドブラケット４１に取り付けられる。第１弾性体４２６は、外筒４２４の内側に配置され、その中央部に車両上下方向Ｚに延びる貫通孔を有する。貫通孔に第１カラー４２２と締結部４６が挿入される。サイドメンバ５の上面にはロアブラケット４４が配置され、第１カラー４２２が締結部４６によってロアブラケット４４固定される。これにより、サイドブラケット４１は、ブッシュ４２、第１カラー４２２、締結部４６及びロアブラケット４４を介してサイドメンバ５と締結される（特に、図１１及び図１２参照）。なお、外筒４２４は、サイドブラケット４１と一体化されてもよいし、サイドブラケット４１に設けられる孔であってもよい。第１カラー４２２は、締結部４６と一体化されてもよい。さらに、第１マウント４０は、締結部４６の上部がアッパブラケット４５を介して収容室２の内壁面２ｓと締結されて、補強されている（特に、図１２参照）。なお、内壁面２ｓは、車体パネルにより構成されている。このように、ロアブラケット４４が締結部４６の下部に連結され、アッパブラケット４５が締結部４６の上部に連結されているため、ブッシュをより強固に車体に固定することができ、さらに、サブフレームの車両上下方向の振動を抑制できる。
【００４０】
図９に示すように、サイドブラケット４１は、本体部４１２と延出部４１４とを有する。
【００４１】
本体部４１２は、サイドメンバ５より車両幅方向Ｘの内側に配置されており、かつサブフレーム３０の上面に締結される。従って、本体部４１２は、車両上下方向Ｚにおいてサブフレーム３０の上側に固定される。本体部４１２は、サイドメンバ５より車両幅方向Ｘでサブフレーム３０側に延びており、車両上下方向Ｚにおいてサイドメンバ５と重ならない。
【００４２】
本体部４１２は、車両前後方向Ｙにおいて、前側に位置する前側部分４１２Ｆと、中央側に位置する中央部分４１２Ｃと、後側に位置する後側部分４１２Ｒとを有する。
【００４３】
中央部分４１２Ｃの幅方向外側は、車両幅方向Ｘの内側に凹んでおり、中央部分４１２Ｃの幅方向内側は、車両幅方向Ｘの内側へ突出している。当該突出部分には、サブフレーム３０とサイドブラケット４１とを締結する締結部３９が配置されている。
【００４４】
前側部分４１２Ｆと後側部分４１２Ｒとは、車両幅方向Ｘの外側に延びており、延出部４１４と連なっている。前側部分４１２Ｆの車両幅方向Ｘの内側縁部は、車両前方向Ｙ１へ向かうにつれ、車両外側（図９では、車両左方向Ｘ２）に位置する。前側部分４１２Ｆの内側縁部には、締結部３９が配置されている。同様に、後側部分４１２Ｒの車両幅方向Ｘの内側縁部は、車両後方向Ｙ２へ向かうにつれ、車両外側（図９では、車両左方向Ｘ２）に位置する。後側部分４１２Ｒの内側縁部には、締結部３９が配置されている。前側部分４１２Ｆ及び後側部分４１２Ｒにおける各締結部３９は、中央部分４１２Ｃにおける締結部３９に対して、車両幅方向Ｘにずれているため、サブフレーム３０とサイドブラケット４１との結合剛性を高めることができる。
【００４５】
延出部４１４は、本体部４１２から車両幅方向Ｘの外側に延出し、かつサブフレーム３０の上方に配置されている。延出部４１４は、車両上下方向Ｚにおいてサイドメンバ５と重なる。延出部４１４には、ブッシュ４２が配置され、取り付けられる。
【００４６】
本体部４１２は、車両上下方向Ｚにおいてサイドメンバ５と重ならない位置にある。従って、収容室２においてサブフレーム３０を車両の下側から上側へ移動させて本体部４１２と固定することができる。予めサイドブラケット４１をサイドメンバ５に取り付け、モータユニット２０を搭載したサブフレーム３０を車両の下側からサイドブラケット４１に固定すればモータユニット２０の搭載性能を向上できる（図１１参照）。
【００４７】
本体部４１２は、締結部３９により、前側メンバ３１、後側メンバ３２、右側メンバ３３（又は左側メンバ３４）のそれぞれと固定されるため、サブフレーム３０に対する結合剛性を高めることができる。
【００４８】
サイドブラケット４１は、車両前後方向Ｙに離間して配置される２つの延出部４１４を有する。従って、サイドブラケット４１は、上面視において２つの延出部４１４を連絡する縁部が車両幅方向Ｘの内側へ凹んでいる。車両前後方向Ｙにおける２つの延出部４１４の間の空間は、車両幅方向Ｘの内側（車両の中心側）に向かうにつれ、小さくなる。これにより、本体部４１２と延出部４１４との連結剛性を高めることができる。
【００４９】
２つの延出部４１４には、それぞれブッシュ４２が配置されている。ブッシュ４２が、各延出部４１４に取り付けられている。ブッシュ４２は、第１カラー４２２、外筒４２４、及びこれら両者を連結する第１弾性体４２６を有する。本実施形態において、ブッシュ４２の外筒４２４は、サイドブラケット４１と一体的に結合されている。第１弾性体４２６は、車両上下方向Ｚに貫通する貫通孔を有し、貫通孔には、第１カラー４２２が挿入される。締結部４６は、第１弾性体４２６を車両上下方向Ｚに貫通する。締結部４６は、ブッシュ４２の内側に配置されており、第１カラー４２２を通るボルトにより構成されている。締結部４６は、アッパブラケット４５と第１弾性体４２６とを貫通し、下端がロアブラケット４４に締結される。従って、第１カラー４２２および第１弾性体４２６は、車両上下方向Ｚにおいてロアブラケット４４とアッパブラケット４５との間に配置され、ロアブラケットに４４とアッパブラケット４５とにより車体に支持される。よって、サイドブラケット４１は、第１弾性体４２６を介してその下方の車体（ロアブラケット４４）に取付けられ、かつその上方の車体（アッパブラケット４５）にも取付けられる。
【００５０】
ブッシュ４２は、車両前後方向Ｙに離間して配置される２つのブッシュ（第１ブッシュ４２Ａ及び第２ブッシュ４２Ｂ）により構成されている。第１ブッシュ４２Ａは、前側の延出部４１４に取り付けられており、第２ブッシュ４２Ｂは、後側の延出部４１４に取り付けられている。なお、ブッシュ４２は、延出部４１４だけでなく、本体部４１２（の車両幅方向Ｘの外側部分）にも取り付けられてよい。
【００５１】
ブッシュ４２は、車両上下方向Ｚに貫通孔を有する筒状の部材である。図１０に示すように、ブッシュ４２は、第１弾性体４２６が挿入される外筒４２４を有する。第１弾性体４２６の貫通孔には第１カラー４２２が挿入される。第１カラー４２２は、車両上下方向Ｚに延びる筒状の部材である。第１カラー４２２の内側には、締結部４６が挿入されている。これにより、第１カラー４２２をロアブラケット４４とアッパブラケット４５とに固定できる。
【００５２】
第１弾性体４２６は、サブフレーム３０と車体との間（詳細には、サブフレーム３０に固定されるサイドブラケット４１と、サイドメンバ５に固定されているロアブラケット４４との間）に配置されている。第１弾性体４２６は、サブフレーム３０の振動を吸収し、車体への振動の伝搬を抑制するためのものである。
【００５３】
第１弾性体４２６は、筒状の弾性体である。第１弾性体４２６の下側の直径は、第１弾性体４２６の上側の直径よりも大きい。これにより、第１弾性体４２６の体積を低減してコストを低減しつつも、水平方向（車両幅方向Ｘ及び車両前後方向Ｙ）における振動を効率的に吸収できる。
【００５４】
第１弾性体４２６は、車両上下方向Ｚの方向に貫通する貫通孔を有する。第１弾性体４２６は、貫通孔に挿入された第１カラー４２２および締結部４６によって車両上下方向Ｚに位置決めされ、車体に取り付けられている。第１弾性体４２６の上側と第１弾性体４２６の下側とで貫通孔の内径の大きさが異なってもよい。
【００５５】
図６−１２に示すように、第１弾性体４２６は、左右一対のサイドメンバ５の上方に、車両前後方向Ｙに並んでそれぞれ２個ずつ配置されている。車両前後方向Ｙにおいて、前側の第１弾性体４２６Ａはその中心が前側メンバ３１の後面の近傍に配置され、後側の第１弾性体４２６Ｂはその中心が後側メンバ３２の後面との近傍に配置されている。従って、車両側面視において、前側の第１弾性体４２６Ａは前側メンバ３１と重なり、後側の第１弾性体４２６Ｂは後側メンバ３２と重なっている。これにより、サブフレーム３０からの振動を各第１弾性体４２６に効率よく分散することができ、車体へ伝搬する振動を抑制できる。
【００５６】
ロアブラケット４４は、サイドメンバ５の上面に配置され、サイドメンバ５へ載置されるブラケットである。ロアブラケット４４は、サイドメンバ５に固定されている。ロアブラケット４４は、さらにサイドメンバ５の外側に連結される収容室２の内壁面２ｓと固定されている。つまり、ロアブラケット４４は、サイドメンバ５の上面と、サイドメンバ５の車両幅方向Ｘの外方側から斜め上側に延びる収容室２の内壁面２ｓとの隅角部に配置される。ロアブラケット４４は、内壁面２ｓとサイドメンバ５の上面に溶接固定されている。ロアブラケット４４は、車両上下方向Ｚに貫通する貫通孔を有する。ロアブラケット４４は、第１弾性体４２６に挿入される第１カラー４２２を通る締結部材（ボルト等）により、その上方に配置された第１弾性体４２６をサイドメンバ５に取り付けるブラケットである。
【００５７】
図６，８，９，１０に示すように、ロアブラケット４４は、前部壁４４１、後部壁４４２、上部壁４４３、側部壁４４４により構成され、台座状である。具体的には、前部壁４４１は、車両上下方向Ｚに沿って延びる。後部壁４４２は、車両上下方向Ｚに沿って延び、前部壁４４１よりも後側に配置される。上部壁４４３は、車両の水平方向（車両幅方向Ｘ及び車両前後方向Ｙ）に沿って延び、前部壁４４１の上端、後部壁４４２の上端、側部壁４４４の上端と連なっている。上部壁４４３は、締結部４６が通る貫通孔を有する。側部壁４４４は、車両上下方向Ｚに沿って延び、前部壁４４１、後部壁４４２及び上部壁４４３よりも車両の中心側に配置される。側部壁４４４は、前部壁４４１の側端、後部壁４４２の側端、上部壁４４３の側端と連なっている。前部壁４４１、後部壁４４２、上部壁４４３は、収容室２の内壁面２ｓと溶接固定され、前部壁４４１、後部壁４４２、側部壁４４４は、サイドメンバ５と溶接固定されている。ロアブラケット４４は、台座状であり、内部が中空である。従って、ロアブラケット４４の軽量化が図れ、かつ生産コストを低減できる。
【００５８】
ロアブラケット４４は、車両前後方向Ｙに離間して配置される２つのロアブラケット４４（前側ブラケット４４Ａ及び後側ブラケット４４Ｂ）を有する。前側ブラケット４４Ａはサイドメンバ５が水平に延びる部分に配置され、後側ブラケット４４Ｂはサイドメンバ５が斜め下に湾曲する部分に配置されている。前側ブラケット４４Ａの上部壁４４３の上方に前側の第１弾性体４２６Ａ（第１ブッシュ４２Ａ）が配置されている。後側ブラケット４４Ｂの上部壁４４３の上方に後側の第１弾性体４２６Ｂ（第２ブッシュ４２Ｂ）が配置されている。前側ブラケット４４Ａの上部壁４４３と後側ブラケット４４Ｂの上部壁４４３とは、車両上下方向Ｚにおいて同じ位置（同じ高さ）に配置されている（図１０参照）。従って、前側ブラケット４４Ａと後側ブラケット４４Ｂとで、車両上下方向Ｚにおける前部壁４４１、後部壁４４２、側部壁４４４の長さが異なっている。具体的には、車両上下方向Ｚにおいて、後側ブラケット４４Ｂの前部壁４４１、後部壁４４２、側部壁４４４の長さは、それぞれが対応する前側ブラケット４４Ａの前部壁４４１、後部壁４４２、側部壁４４４のそれぞれの長さよりも長い。これにより、複数の第１弾性体４２６を同じ高さで固定することができ、サブフレーム３０を安定して支持できる。
【００５９】
アッパブラケット４５は、収容室２の内壁面２ｓから締結部４６に延びており、第１弾性体４２６に挿入された第１カラー４２２の車両の上側を車体に連結するブラケットである。アッパブラケット４５は、車両幅方向Ｘにおける内側端部が第１カラー４２２をロアブラケット４４に固定する締結部４６（具体的には、ボルト）にて第１カラー４２２と共締めされ、車両幅方向Ｘにおける外側端部がボルト等の締結部材により、収容室２の内壁面２ｓに締結される（図６、１２参照）。つまり、アッパブラケット４５は、第１カラー４２２をロアブラケット４４に固定する締結部４６の上部と収容室２の内壁面２ｓとを連結して、第１弾性体４２６に挿入された第１カラー４２２の車体部材に対する取付剛性を向上させている。これにより、第１カラー４２２がサブフレーム３０から受ける荷重をロアブラケット４４とアッパブラケット４５とによって支持できる。これにより、第１弾性体４２６に挿入された第１カラー４２２が振動することが抑制できる。
【００６０】
中間ブラケット４７は、アッパブラケット４５の下方でサブフレーム３０及び内壁面２ｓの少なくとも一方に固定されている。中間ブラケット４７は、前側の第１弾性体４２６Ａと後側の第１弾性体４２６Ｂとの間にてアッパブラケット４５をロアブラケット４４に連結するブラケットである。従って、アッパブラケット４５は、中間ブラケット４７と固定されている。これにより、アッパブラケットの振動を抑制することができる。また、中間ブラケット４７は、車両前後方向Ｙにおいて第１ブッシュ４２Ａと第２ブッシュ４２Ｂとの間に配置されている。これにより、第１ブッシュ４２Ａと第２ブッシュ４２Ｂとの両方の近傍で中間ブラケット４７にアッパブラケット４５が固定されるため、アッパブラケット４５を通じて、第１ブッシュ４２Ａの第２ブッシュ４２Ｂの振動を抑制できる。
【００６１】
中間ブラケット４７は、前部壁４７１、後部壁４７２、上部壁４７３、側部壁４７４、ベース部４７５により構成され、台座状である。具体的には、前部壁４７１は、車両上下方向Ｚに沿って延びる。後部壁４７２は、車両上下方向Ｚに沿って延び、前部壁４７１よりも後側に配置される。上部壁４７３は、車両の水平方向（車両幅方向Ｘ及び車両前後方向Ｙ）に沿って延び、前部壁４７１の上端、後部壁４７２の上端、側部壁４７４の上端と連なっている。上部壁４７３（中間ブラケット４７）は、アッパブラケット４５と中間ブラケット４７とを締結するための締結部材（ボルト等）が挿入される貫通孔４７３ｈを有する（図１２参照）。側部壁４７４は、車両上下方向Ｚに沿って延び、前部壁４７１、後部壁４７２及び上部壁４７３よりも車両の中心側に配置される。側部壁４７４は、前部壁４７１の側端、後部壁４４２の側端、上部壁４４３の側端と連なっている。
【００６２】
車両上面視において、車両前後方向Ｙにおける前部壁４７１と後部壁４７２との距離は、車両幅方向Ｘに向かうにつれ、短くなる。従って、前部壁４７１の車両幅方向Ｘにおける内側端と後部壁４７２の車両幅方向Ｘにおける内側端との車両前後方向Ｙにおける第１距離は、前部壁４７１の車両幅方向Ｘにおける外側端と後部壁４７２の車両幅方向Ｘにおける外側端との第２距離よりも短い。これにより、中間ブラケット４７は車両幅方向Ｘの中央側に尖った形状に形成され、車両前後方向Ｙに並ぶ２つの延出部４１４に挟まれる空間に配置しやすい構造にすることができる。
【００６３】
ベース部４７５は、前部壁４７１の下端及び外側端、後部壁４７２の下端及び外側端、上部壁４７３の外側端、側部壁４７４の下端に連結されている。ベース部４７５の外側端は、溶接により内壁面２ｓと固定されている。ベース部４７５の下端は、ロアブラケット４４を介してサイドメンバ５と固定されている。ベース部４７５（中間ブラケット４７）の下端は、締結部４６が挿入される貫通孔４７５ｈを有し、ロアブラケット４４の上部壁４７３に溶接にて固定されている。なお、ベース部４７５は、締結部４６によりロアブラケット４４と固定されていてもよい。
【００６４】
中間ブラケット４７は、ロアブラケット４４上に固定される。詳細には、中間ブラケット４７は、２つのロアブラケット４４（前側ブラケット４４Ａと後側ブラケット４４Ｂ）の両方に固定されている。従って、中間ブラケット４７は、２つのロアブラケット４４を連結する。これにより、ロアブラケット４４が振動することを抑制でき、結果的に、モータユニット２０から車体へ伝搬する振動を抑制できる。
【００６５】
加えて、中間ブラケット４７は、ロアブラケット４４を介してサブフレーム３０と固定されている。これにより、ロアブラケット４４の高さの分だけ、中間ブラケット４７の車両上下方向Ｚにおける高さを低くすることができる。これにより、中間ブラケット４７の小型化を図ることができる。中間ブラケット４７の高さを低くすることで、中間ブラケット４７の剛性も高めることができ、中間ブラケット４７が振動することを抑制できる。その結果、モータユニット２０から車体へ伝搬する振動を抑制できる。
【００６６】
（２．３）第２マウント５０
次に、第２マウント５０について、説明する。
【００６７】
第２マウント５０は、第２カラー５１、外筒ブラケット５２、内筒ブラケット５４、第２弾性体５６を有する。
【００６８】
第２カラー５１は、車両幅方向Ｘに延びる筒状の部材であり、モータユニット２０側に連結される。第２カラー５１の内側には、内筒ブラケット５４（詳細には、内筒ブラケット５４の車両幅方向Ｘの外側に延びるマウント軸５４２）が挿入固定されている（図１１参照）。第２カラー５１の外側には、第２弾性体５６が配置されている。
【００６９】
外筒ブラケット５２は、第２弾性体５６が挿入される外筒５２２と、外筒５２２をサブフレーム３０に支持する固定部５２３を有する。外筒５２２の内周に第２弾性体５６を介して第２カラー５１が支持されている。固定部５２３は、第２マウント５０をサブフレーム３０（詳細には、右側マウントメンバ３５、左側マウントメンバ３６、中央マウントメンバ３７）に固定するためのものである。固定部５２３は、外筒５２２の上部に接合されて、サブフレーム３０の下面と外筒５２２との間に配置されている。固定部５２３は、外筒５２２よりも前後に拡張された締結面（上面）を有し、ボルト等の締結部材によりサブフレーム３０の締結部３５ｂ、３６ｂ、３７ｂに締結されている。つまり、外筒ブラケット５２は、車両前後方向Ｙにおいて、第２弾性体５６の前後でサブフレーム３０に固定されている。
【００７０】
内筒ブラケット５４は、モータユニット２０と第２カラー５１を連結するためのブラケットである。内筒ブラケット５４は、マウント軸５４２と本体部５４４とを有する。内筒ブラケット５４の上端部には、第２カラー５１の内側に挿入固定されるマウント軸５４２が配置されている。本体部５４４は、本体部５４４の下部がモータユニット２０に水平方向から締め付け固定される、本体部５４４は、モータユニット２０と締結される部分から車両上下方向Ｚに延びる。
【００７１】
内筒ブラケット５４（本体部５４４）は、締結されるモータユニット２０（モータ２２／減速機２４）の位置に応じた形状である。車両右側に配置される前マウント５０Ａの内筒ブラケット５４（本体部５４４）は、図１１に示すように、モータ２２の右端面に右側から重ねられて締結固定され、マウント軸５４２は、車両右方向にＸ１延びている。車両左側に配置される前マウント５０Ａの内筒ブラケット５４は、図１１に示すように、減速機２４の前上部となる左端面に左側から重ねられて締結固定され、マウント軸５４２は左方向に延びている。車両後側に配置される後マウント５０Ｂの内筒ブラケット５４は、図１１に示すように、減速機２４の後上部となる差動装置の上方（ドライブシャフトＤＳが挿入される孔の上方）に右側から重ねられて締結固定され、マウント軸５４２は左方向に延びている。図１１に示すように、前マウント５０Ａのマウント軸５４２は、モータユニット２０よりも左右に突出して配置されており、左右の前マウント５０Ａは、モータユニット２０の長さよりも長い間隔で配置され、モータユニット２０を支持している。
【００７２】
第２弾性体５６は、モータユニット２０の振動を吸収し、サブフレーム３０への振動の伝搬を抑制するためのものである。図１１に示すように、第２弾性体５６により、車両上下方向Ｚに配置される２つのスグリが形成されている。
【００７３】
（３）その他実施形態
上述において、中間ブラケット４７は、サブフレーム３０及び収容室２の内壁面２ｓの両方に固定されていたが、これに限られない。中間ブラケット４７は、（ロアブラケット４４を介して）サブフレーム３０のみに固定されていてもよい。中間ブラケット４７は、収容室２の内壁面２ｓのみに固定されていてもよい。
【００７４】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７５】
本態様は、モータ及び減速機によって構成されるモータユニットを支持するためのモータユニットの支持構造において、モータユニットの搭載性能を向上させつつ、モータユニットから車体へ伝搬する振動を抑制でき、モータユニット支持構造に利用することができる。
【符号の説明】
【００７６】
１        ：モータユニット支持構造
２        ：収容室
２ｓ      ：内壁面
５        ：サイドメンバ
２０      ：モータユニット
２２      ：モータ
２４      ：減速機
３０      ：サブフレーム
３１      ：前側メンバ
３２      ：後側メンバ
３３      ：右側メンバ
３４      ：左側メンバ
３５      ：右側マウントメンバ
３６      ：左側マウントメンバ
３７      ：中央マウントメンバ
３８      ：補助メンバ
３９      ：締結部
４０      ：第１マウント
４１      ：サイドブラケット
４２      ：ブッシュ
４４      ：ロアブラケット
４５      ：アッパブラケット
４６      ：締結部
４７      ：中間ブラケット
５０      ：第２マウント
５０Ａ    ：前マウント
５０Ｂ    ：後マウント
５１      ：第２カラー
５２      ：外筒ブラケット
５４      ：内筒ブラケット
５６      ：第２弾性体
６０      ：電力供給部
６２      ：インバータ
６４      ：ジャンクションボックス
６６      ：ＤＣＤＣコンバータ
７０      ：取り付け部
４１２    ：本体部
４１４    ：延出部
４２２    ：第１カラー
４２４    ：外筒
４２６    ：第１弾性体
４７５    ：ベース部
４７５ｈ  ：貫通孔
５２２    ：外筒
５２３    ：固定部
５４２    ：マウント軸
５４４    ：本体部
【図１】
2020032954.tif 000003
【図２】
2020032954.tif 000004
【図３】
2020032954.tif 000005
【図４】
2020032954.tif 000006
【図５】
2020032954.tif 000007
【図６】
2020032954.tif 000008
【図７】
2020032954.tif 000009
【図８】
2020032954.tif 000010
【図９】
2020032954.tif 000011
【図１０】
2020032954.tif 000012
【図１１】
2020032954.tif 000013
【図１２】
2020032954.tif 000014